(57)【要約】【課題】この発明は、簡便にして容易に高精度なガイド取付け作業を実現し得、且つ、堅牢にして確実なガイド取付け配置を実現し得るようにすることにある。【解決手段】先側竿杆１０を後側竿杆１１に対して段差１０４を持たせて継ぎ合わせて、先側竿杆１０の段差１０４に弾性部２７を配し、この弾性部２７と後側竿杆１１との間を跨って第４の固定ガイド２８の取付脚２８１を取付けるように構成した。【選択図】      図２
2006271277.tif 000002
【特許請求の範囲】
【請求項１】
先側竿杆の基端部が後側竿杆の先端部に挿入されて継合部位に段差を持たせて継ぎ合わせた竿杆と、
前記先側竿杆の段差に設けられる弾性部材と、
前記後側竿杆と前記弾性部材上に跨って取付脚が取付けられる固定ガイドと、
を具備することを特徴とする釣竿の穂先。
【請求項２】
前記弾性部材は、外壁が前記後側竿杆の外周壁と同等以上の厚さ寸法に設定されることを特徴とする請求項１記載の釣竿の穂先。
【請求項３】
前記先側竿杆は、その基端部が前記後側竿杆の先端側に挿入されて継合され、該後側竿杆の先端側の内壁より突出され、且つ、前記先側竿杆の基端部の継合長より後側に長く形成した補強部を備えることを特徴とする請求項１又は２記載の釣竿の穂先。
【請求項４】
前記先側竿杆は、超弾性合金で中実状に形成されることを特徴とする請求項１乃至３のいずれか記載の釣竿の穂先。
【請求項５】
前記先側竿杆は、超弾性合金で中実状に形成して外層に繊維強化プリプレグを巻回したことを特徴とする請求項１乃至３のいずれか記載の釣竿の穂先。
【発明の詳細な説明】
【技術分野】
【０００１】
この発明は、例えば船竿、磯竿、ルアーロッド等の釣竿に係り、特にその穂先に関する。
【背景技術】
【０００２】
従来より、魚釣用釣竿においては、魚の種類に応じて、その穂先として、軽量で、撓み性に優れた弾性力を有し、しかも塑性変形することの無い、所望の剛性を維持可能な先調子のものが用いられる。このような穂先には、中実状の芯材と中空状の竿杆を継合させて所望の先調子を得るようにした竿構造のものが開発されている。このような穂先の結合構造としては、中実管を中空管に結合する手段として、中実管の基端部に縮径部を形成して、この縮径部を中空管の先端に挿入して結合し、その中実管と中空管の継ぎ目（境界部位）を跨ぐように糸巻き・糸止めを施して下糸層を形成する（例えば、特許文献１参照。）。そして、この下糸層上に糸ガイドの糸ガイド脚を乗せて、この糸ガイド脚の上から糸巻き・糸止めを施して上糸層を形成することにより、継ぎ目を見えないようにした構成のものが提案されている。
【０００３】
ところで、このような釣竿の穂先としては、一般的にワンピースルアーロッド等のワンピースロッドが含まれる。
【特許文献１】特開２００１−６９８７８号公報
【発明の開示】
【発明が解決しようとする課題】
【０００４】
しかしながら、上記釣竿の結合構造では、中実管の縮径部を中空管に挿入して継合させて，その継ぎ目に糸巻き・糸止めを施しているために、曲げ荷重が繰り返し変形を受けると、その継ぎ目より剥離が発生して糸ガイドに「がた」が生じたり、抜けたりする虞を有する。
【０００５】
この発明は上記の事情に鑑みてなされたもので、簡便にして容易に高精度なガイド取付け作業を実現し得、且つ、堅牢にして確実なガイド取付け配置を実現し得るようにした釣竿の穂先を提供することを目的とする。
【課題を解決するための手段】
【０００６】
この発明は、先側竿杆の基端部が後側竿杆の先端部に挿入されて継合部位に段差を持たせて継ぎ合わせた竿杆と、前記先側竿杆の段差に設けられる弾性部材と、前記後側竿杆と前記弾性部材上に跨って取付脚が取付けられる固定ガイドとを備えて釣竿の穂先を構成した。
【０００７】
上記構成によれば、先側竿杆を後側竿杆に対して段差を持たせて継ぎ合わせて、先側竿杆の段差に弾性部材を配して、固定ガイドの取付脚を弾性部材と後側竿杆とに跨って取付けている。従って、先側竿杆と後側竿杆の堅牢な継ぎ構造を実現したうえで、その弾性部材の作用により、固定ガイドの取付脚の緩み防止が図れて、堅牢にして確実なガイド取付け配置が実現される。
【発明の効果】
【０００８】
以上述べたように、この発明によれば、簡便にして容易に高精度なガイド取付け作業を実現し得、且つ、堅牢にして確実なガイド取付け配置を実現し得るようにした釣竿の穂先を提供することができる。
【発明を実施するための最良の形態】
【０００９】
以下、この発明の実施の形態について、図面を参照して詳細に説明する。
【００１０】
図１は、この発明の一実施の形態に係る釣竿の穂先を適用したルアーロッドを示すもので、先側竿杆１０と後側竿杆１１を継合させたワンピース構造に形成される。
【００１１】
即ち、先側竿杆１０は、図２に示すように例えば中実状の芯材１０１が、ポリフェニールサルホン（ＰＰＳＵ）等の超弾性樹脂材料、超弾性合金材料で中実状の竿先形状に形成される。この超弾性合金材料としては、例えばＮｉ―Ｔｉ合金、Ｎｉ―Ｔｉ―Ｆｅ系合金、Ｎｉ―Ｔｉ―Ｃｕ系合金、Ｎｉ―Ｔｉ―Ｃｒ系合金等が用いられる。これにより、芯材１０１は、それ自体で局部的な変形に対する高強度化が得られる。
【００１２】
そして、この芯材１０１上には、繊維強化樹脂プリプレグを順に巻回した繊維強化樹脂プリプレグ層１０２が積層される（図２参照）。この繊維強化樹脂プリプレグ層１０２は、その後側の継合部（接着代）１０３が設けられる。この継合部１０３は、その中間部が先側より後側に行くに従って竿軸方向に傾斜された傾斜形状に形成される。
【００１３】
上記先側竿杆１０の繊維強化樹脂プリプレグ層１０２上には、先端側より先端ガイド１２、第１乃至第３の固定ガイド１３，１４，１５が所定の間隔に下向きに配置され、その各取付脚（図１中では、図の都合上、図示せず）が周知の糸巻き・糸止めが施されて固定配置される。
【００１４】
なお、上記先側竿杆１０は、芯材１０１と繊維強化樹脂プリプレグ層１０２との間に該繊維強化樹脂プリプレグ層よりも樹脂量の多い繊維強化樹脂層を設けて、相互の密着性をさらに高めるように構成してもよい。これによると、先側竿杆１０の芯材１０１の持つ材料特性を生かしたまま、その調子や強度の調整を容易に設定することが可能となる。また、その繊維強化樹脂プリプレグ層１０２は、接着部を含む軸長方向に一部又は全体にバイアスに配向した繊維強化樹脂プリプレグを配しても良い。これにより、接着部又は先側竿杆１０のせん断変形を防止できる。
【００１５】
上記後側竿杆１１には、第５及び第６の固定ガイド１６，１７が所定の間隔に下向きに配置され、その各取付脚（図１中では、図の都合上、図示せず）が周知の糸巻き・糸止めが施されて固定配置される。また、この後側竿杆１１の竿尻部には、リールシート１８及びハンドル１９が設けられ、このうち後側竿杆のリールシート１８には、魚釣用リール２０が装着される。
【００１６】
後側竿杆１１は、例えば図３に示すように先側に上記先側竿杆１０の継合部（接着代）１０３より長さ寸法の長い段部２１１の設けられた芯金２１を用いて形成される。即ち、芯金２１には、その段部２１１に繊維方向をバイアスに配向した繊維強化樹脂プリプレグ２２を巻回して補強部である補強層２３（図２参照）を形成し、この補強層２３を含む芯金２１上には、繊維方向が軸長及び周方向に配向した繊維強化樹脂プリプレグ２４を巻回して中空状の竿杆本体２５が形成される。この際、繊維強化樹脂プリプレグ２２を巻回時、段部後方の芯金２１と面一に巻回し、その後、繊維強化樹脂プリプレグ２４を巻回すれば、竿杆本体２５の繊維蛇行を防止でき強度低下しにくい。結果、竿杆本体２５の先側内壁には、上記継合部（接着代）１０３より竿軸方向に長い補強層２３が突出形成される。また、竿杆本体２５の外面の凹凸が少なく、固定ガイドが安定して固定できる。
【００１７】
これにより、竿杆本体２５の前部の曲がり（カーブ）が綺麗になり、せん断変形を抑えることができる。なお、繊維強化樹脂プリプレグ２２の繊維配向は、周方向でも良い。
【００１８】
次に、上記竿杆本体２５及び補強層２３は、その先側にリーマ加工が施されて先側より後側に行くに従って竿軸方向に、例えば４０/１０００の傾斜角で傾斜された傾斜継合部２６が形成される。この際、竿杆本体２５の強化繊維をほとんど削りとらないので、後側竿杆１１が破損しにくい。傾斜継合部２６は、上記先側竿杆１０の繊維強化樹脂プリプレグ層１０２の傾斜形状の継合部に合致され、そのクリアランスが径で約０.０５〜０．１５ｍｍ程度の略均一となるように形成される。この補強層２３は、その後端部を傾斜状に形成して、その肉厚の薄肉化を図るようにしてもよい。
【００１９】
上記後側竿杆１１には、その傾斜継合部２６に対して上記先側竿杆１０の継合部（接着代）１０３が接着材を介在して挿入されて継合される。ここで、先側竿杆１０と後側竿杆１１は、繊維強化樹脂プリプレグ層１０２の傾斜形状の継合部１０３と後側竿杆１１の傾斜継合部２６間に介在される接着材がいわゆるしごかれることなく、略均一に塗布された状態が得られて堅牢な接着が実現される。この際、先側竿杆１０の後側端部が、後側竿杆１１の補強層２３の中間に位置されることで、肉厚変化の緩和を図ることができ、先側竿杆１０の後側端部における応力集中を防ぎ、後側竿杆１１の折れ防止の促進を図る。
【００２０】
ここで、上記後側竿杆１１と継合された先側竿杆１０は、後側竿杆１１との継ぎ目に段差１０４が形成され、この段差１０４には、弾性部材、例えば（綿糸３０番）を巻付けて糸止め処理を施した弾性部２７が上記後側竿杆先端周囲と同等以上の高さ寸法だけ巻回される。そして、この弾性部２７及び後側竿杆１１の先側には、第４の固定ガイド２８の取付脚２８１が載置され、この取付脚２８１上には、例えば（綿糸３０番）を巻き付けて糸止め処理が施されて糸巻き・糸止め部２９が形成される。
【００２１】
上記弾性部２７は、先側竿杆１０の後端側に予め形成するようにしても、あるいは、先側竿杆１０と後側竿杆１１を継合させた状態で形成するようにしても良い。
【００２２】
上記構成により、後側竿杆１１と継合された先側竿杆１０に対して第４の固定ガイド２８は、その取付脚２８１の先側が弾性部２７に載置されて、その後端側が後側竿杆１１上に載置され、継ぎ目を跨ぐように配置され、その上面側に糸巻き・糸止め部２９が設けられて、これら弾性部２７及び糸巻き・糸止め部２９により柔軟に挟装された状態で配される。結果、弾性部２７が後側竿杆先端周囲と同等以上の高さ寸法に設けられ、巻糸等で締めつけ圧接し、取付脚２８１と弾性部２７との滑り摩擦抵抗が大きくなり、第４の固定ガイド２８の抜け防止が図られる。
【００２３】
また、第４の固定ガイド２８の取付脚２８１は、先側竿杆１０に曲げ荷重が加わり、大撓みした場合においても、後側竿杆１１の外周壁と同等以上の高さを有する弾性部２７のクッション作用と糸巻き・糸止め部２９の柔軟性により、先側竿杆１０の曲がりに追従される。この結果、第４の固定ガイド２８は、先側竿杆１０の曲げ荷重が加えられても、その緩みの発生が防止されて抜け防止が図れ、長期間に亘る堅牢な取付け配置が可能となる。なお、柔軟性のある糸巻き・糸止め部２９は、例えば２液硬化型や紫外線硬化型塗料でエポキシ、ウレタン、アクリル、アクリルウレタン等で鉛筆硬度２Ｂ〜２Ｈの範囲が好ましい。
【００２４】
また、後側竿杆１１は、その先端部に第４の固定ガイド２８の取付脚２８１の後端部が糸巻き・糸止め部２９により取付け固定されているが、先側竿杆１０に曲げ荷重が付与された場合においても、その外周壁と同等以上の高さを有する弾性部２７のクッション作用により、第４の固定ガイド２８の取付脚２８１より後側竿杆１１に足先が圧接する力が弱まり、応力集中が緩和されることで、その破損防止が図られる。
【００２５】
なお、上記弾性部２７は、弾性部材として、上記糸巻き・糸止め構成に限るものでなく、ゴム材、コルク材、発泡材，柔軟性を有する合成樹脂材等の後側竿杆より弾性力のあるもので先側竿杆の周方向に沿って形成しても良いし、あるいは段部１０４の周方向の第４の固定ガイド２８の取付脚２８１の載置部位にのみ設けるようにしてもよく、同様の効果が期待される。
【００２６】
このように、上記釣竿の穂先は、先側竿杆１０を後側竿杆１１に対して段差１０４を持たせて継ぎ合わせて、先側竿杆１０の段差１０４に弾性部２７を配し、この弾性部２７と後側竿杆１１との間を跨って第４の固定ガイド２８の取付脚２８１を取付けるように構成した。
【００２７】
これによれば、先側竿杆１０と後側竿杆１１の堅牢な継ぎ構造を実現したうえで、先側竿杆１０に曲げ荷重が加わった場合にも、その弾性部２７のクッション作用により、第４の固定ガイド２８の取付脚２８１の緩み防止が図れて、堅牢にして確実なガイド取付け配置が実現される。
【００２８】
なお、上記実施の形態では、竿杆に対して固定ガイドを下向きに配置するような構成に適用した場合について説明したが、これに限ることなく、固定ガイドを竿杆に対して上向きに取付け配置するガイド配置構成においても適用可能で、同様の効果が期待される。このガイド配置構成においては、上記先側竿杆１０及び後側竿杆１１に配する先端ガイド１２、第１乃至第３の固定ガイド１３〜１５、第４の固定ガイド２８、第５及び第６の固定ガイド２６，２７の取付け位置を略１８０度変更させて配置される。
【００２９】
この実施の形態では、上記第４の固定ガイド２８の取付脚２８１が，図４に示すように先側竿杆１０の段差１０４に配した弾性部２７と後側竿杆１１との継ぎ目を跨いで載置されて、その上面部に糸巻き・糸止め部２９が形成され、先側竿杆１０に対して取付脚２８１が弾性部２７から離れる方向の曲げ荷重が付与される。この場合、取付脚２８１は、糸巻き・糸止め部２９により弾性部２７に圧接されていることで、先側竿杆１０が大撓みした場合においても、該弾性部２７の弾性変形に追従されて、そのがた付きの発生が阻止されると共に、その後側竿杆１１の破損の防止が図れて、初期の堅牢な取付け状態が確保される。
【００３０】
また、上記実施の形態では、芯材１０１に超弾性樹脂材料及び超弾性合金材料を用いて構成した場合を代表して説明したが、これに限ることなく、その他、カーボン繊維、ガラス繊維、アラミド繊維等の強化繊維を用いて構成することも可能で、略同様の効果が期待される。
【００３１】
さらに、上記実施の形態では、芯材１０１として、中実状に形成した場合で説明したが、これに限ることなく、その他，中空状の芯材を用いて構成することも可能である。
【００３２】
また、固定ガイドは、図示のような片足ガイドに限ることなく、両足ガイドも可能である。
【００３３】
また、上記実施の形態では、ルアーロッドに適用した場合で説明したが、これに限ることなく、その他、船竿、磯竿等の二本継ぎや三本継ぎ等の複数継ぎの釣竿に適用することも可能で、同様の効果が期待される。
【００３４】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３５】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３６】
【図１】この発明の一実施の形態に係る釣竿の穂先が適用されたルアーロッドの外観構成を示した平面図である。
【図２】図１の継合部を拡大して示した部分断面図である。
【図３】図１の後側竿杆の成形方法を説明するために示した成形説明図である。
【図４】この発明の他の実施の形態に係る釣竿の穂先の要部を拡大して示した部分断面図である。
【符号の説明】
【００３７】
１０…先側竿杆、１０１…芯材、１０２…繊維強化樹脂プリプレグ層、１０３…継合部、１０４…段差、１１…後側竿杆、１２…先端ガイド、１３…第１の固定ガイド、１４…第２の固定ガイド、１５…第３の固定ガイド、１６…第５の固定ガイド、１７…第６の固定ガイド、１８…リールシート、１９…ハンドル、２０…魚釣用リール、２１…芯金、２１１…段部、２２…繊維強化樹脂プリプレグ、２３…補強層、２４…繊維強化樹脂プリプレグ、２５…竿杆本体、２６…傾斜継合部、２７…弾性部、２８…第４の固定ガイド、２８１…取付脚、２９…糸巻き・糸止め部。
【図１】
2006271277.tif 000003
【図２】
2006271277.tif 000004
【図３】
2006271277.tif 000005
【図４】
2006271277.tif 000006